(57)【要約】【課題】従来、プレゼンテーション用インタネットカフェ、ゲームセンター、漫画喫茶などでコンテンツを見る場合、プライバシーを守るサービスを行うには個室を設けるなど、多くのスペースを必要としていた。又、これ等個室の場合、店舗側ではその中の管理を行うのは容易でない。このビジネスモデルは眼鏡型ディスプレイを使用してこれ等の課題を解決するもので、同時にこれ等店舗の経営者の大きな課題である収益の向上にも貢献できるものである。【解決手段】コンテンツを見るために、顔を全部覆わない、そして目線を下にすれば、手元に置かれた飲食物も自由に扱うことができるタイプの眼鏡型ディスプレイを利用することにより、プライバシーを守るプライベイト空間を最小のスペースで提供し、中央のコンテンツ配信課金装置とネットワーク化することにより経営効率を向上させるビジネスモデルである。【選択図】図３
2005339478.tif 000002
【特許請求の範囲】
【請求項１】
顔にかけることのできる眼鏡型ディプレイ、この眼鏡型ディスプレイを使用する人の傍に置かれこの眼鏡型ディスプレイにコンテンツを送信する情報記憶装置、この情報記憶装置に送信されるコンテンツを検索し課金する装置、コンテンツ検索と同じ場所で飲食物を発注課金できる飲食選択課金装置、これらの課金装置を中央で管理する中央コンテンツ配信及び課金管理センターから構成され、眼鏡型ディスプレイを使用してコンテンツを見る場合、眼鏡型ディスプレイをかけたまま視線を下にむけるだけで、傍に置かれた飲食物を提供することができ、この施設の事業主にコンテンツ提供以外に飲食物の提供も可能にし、収入を高めることを可能にすることを特徴とするビジネスモデル。
【請求項２】
前記眼鏡型ディスプレイに情報を配信する装置を持つ店舗を全て通信回線で接続し、これらの情報提供を中央から一元的に管理し、最新情報をリアルタイムで供給することのできる情報管理ネットワークシステムを持ち、眼鏡型ディスプレイを使用しながら飲食の販売を行うことにより収入を高めることを特徴としたビジネスモデル。
【発明の詳細な説明】
【技術分野】
【０００１】  本発明は眼鏡型ディスプレイを使用してコンテンツであるデジタル画像を提供する場合、眼鏡型ディスプレイを小型にしてコンテンツを見ながら、同時に容易に飲食も可能にできる為、眼鏡型ディスプレイを超薄型にしてコンテンツを見ながら飲食などのことを、同一の課金カードを利用して利用者へのより良いサービスを可能にすることに関するものである。
【背景技術】
【０００２】  従来眼鏡型ディスプレイ又はヘッドマウントディスプレイと言われているこの分野では、コンテンツを見る場合、それが眼全体を覆うのが通常で、その使用者がディスプレイを装着したまま、手元を見ることが困難で、ディスプレイによる画像を見ながら手元にある飲食を行うことは困難であった。【０００３】  従来この種のシステムでは、ディスプレイによる情報使用料収益システムと飲食の売上げによる収益システムは別管理となっており、これを一元的に統合して管理されていない。【０００４】  インタネットが発達した今日、膨大なコンテンツを見ることは容易になったが、これを店舗などで見る場合、外部の人から見られずプライバシーを守りながら見るためには眼鏡型ディスプレイを使用することが求められる。又、眼鏡型ディスプレイ以外の通常のディスプレイで見る場合、それを利用する個人に場を提供する店舗は一利用者あたり大きいスペースを必要とする。
【発明の開示】
【発明が解決しょうとしている課題】
【０００５】  本発明は上記した実情に鑑みてなされたものであって、コンテンツ情報の個人利用者が、長時間椅子に座って快い気分で選択される情報を楽しむ事が出来る様に、眼鏡型ディスプレイをかけたまま、簡単に飲食を楽しむ環境を提供し、この運営を効率化し、収益構造を高める店舗システムを可能にするものである。
【課題を解決するための手段】
【０００６】  本発明は上記目的を達成するために、店舗内の個人利用者に、別々にそれを座って見る椅子と同時に眼全体を覆わない眼鏡型ディスプレイを提供し、コンテンツ選択課金装置と飲食選択課金装置の両方共通に使用できる様にしてコンテンツを見ながら容易に飲食を可能にすることを実現できるものである。
【０００７】  第一の解決手段は、眼鏡型ディスプレイを利用してコンテンツを見る利用者の椅子の横に飲食物を置く小さいテーブルを置き、その下に検索されたコンテンツ情報を蓄積できる装置も置き、これらの情報を中央のデーターセンタで一元管理すると共に、情報利用者が容易に飲食を楽しめる手段を提供するものである。情報利用の課金と飲食の課金も同時に行う手段を提供するものである。
【０００８】  第二の解決手段はこの情報データであるコンテンツ利用課金と飲食利用課金を同一カードで行い、中央で統合して管理できる手段を提供するものである。
【発明の効果】
【０００９】  この発明は、インタネットが普及し、数多くのコンテンツが利用できる時代に、個人のプライバシーを守りつつ、利用者にその便を提供すると共に、店舗側もそれに対する収益を上げることのできる新しいビジネスを提供できるものである。
【発明を実施するための最良の形態】
【００１０】  以下、本発明の実施の形態を図１−３に基づいて説明する。【００１１】  図１は本発明に係わるネットワーク全体システムを示すブロック図である。この実施例に係わるシステムは、中央のコンテンツ配信兼コンテンツ配信課金及び飲食課金装置１、及び各店舗毎のコンテンツ選択課金入力装置２−Ａ、２−Ｂ，及び２−Ｎから成る。これら１，２−Ａ，２−Ｂ，２−Ｎはインタネットによる通信回線３で接続され、１からのコンテンツは各々の店舗２−Ａ，２−Ｂ，２−Ｎに配信され、又各店舗からの課金情報は中央の課金管理センターに送信されて管理される。【００１２】  図２は本発明に係わる各店舗内の機器構成を示す図である。店舗内にはコンテンツ検索課金装置４、飲食物選択課金装置５、個人毎に飲食をしながらコンテンツを楽しむ椅子及び飲食物を置くデククから構成される個人別にコンテンツを見る装置６−Ａ，２−Ｂ、６−Ｃ，６−Ｄ，６−Ｅ，６−Ｆ、及び６−Ｎから構成される。６−Ａは使用する人７、眼鏡型ディスプレイ８、飲食物を置くデスク９、椅子１０を示す。【００１３】  図３は図２に於ける個人別にコンテンツを見る装置の機器構成図である。１１はその個人、１２は眼鏡型ディスプレイで、内部の光学装置により、選択送信されてくる画像入力を拡大画面で見ることができるものである。１３はこの拡大された仮想画面を示す。１４は眼鏡型ディスプレイ７に画像を送信する場合、その輝度、音声ボリュームなど調整しながら、眼鏡型ディスプレイで見たいコンテンツを選択するコントロールボックス、１５は眼鏡型ディスプレイを見ながら飲食する飲食物を置くデクク、１６はコンテンツ選択課金装置で選択されたコンテンツを一時蓄積する装置である。
【産業上の利用の可能性】
【００１４】  インタネットの普及とコンテンツが豊富になったこと、仕事で疲れたビジネスマンがそのストレスを取るため、一人になって自由な時間を過ごすビジネス街のオアシス的な憩いの場所が求められている。本システムはこの様な時代に対応できるものとして利用される可能性は大きい。インタネットでネットワーク化することにより、更に効率的な管理が可能となり、経営効率を向上させることが可能となり、いろいろな場所で利用されることが期待される。
【図面の簡単な説明】
【００１５】
【図１】  本発明に係わる眼鏡型ディスプレイの課金システムの実施形態を示すブロック構成図の例を示す。
【図２】  本発明に係わる店舗内に機器構成図の例を示す。
【図３】  本発明に係わる眼鏡型ディスプレイの構成図の例を示す。
【符号の説明】
【００１６】１．  中央画像配信センター兼課金管理センター
２−Ａ．店舗Ａ
２−Ｂ．店舗Ｂ
２−Ｎ．店舗Ｎ
３．インタネット通信回線網
４．店舗内コンテンツ検索課金装置
５．店舗内飲食物選択課金装置
６−Ａ．６−Ｂ．６−Ｃ．６−Ｄ．６−Ｄ．６−Ｅ．６−Ｆ．６−Ｎ．店舗内で眼鏡型ディスプレイを利用する人
７．眼鏡型ディスプレイを利用する人
８．眼鏡型ディスプレイ
９．飲食物を置くデスク
１０．椅子
１１．眼鏡型ディスプレイを利用する人
１２．眼鏡型ディスプレイ
１３．眼鏡型ディスプレイにより拡大されたコンテンツを表示する仮想画面
１４．眼鏡型ディスプレイのコントロールボックス
１５．飲食物を置くデスク
１６．眼鏡型ディスプレイにコンテンツ情報を送るため、選択された中央からの画像を蓄積するコンテンツ情報記憶装置
【図１】
2005339478.tif 000003
【図２】
2005339478.tif 000004
【図３】
2005339478.tif 000005